(57)【要約】      （修正有）【課題】円盤にとりつけた金属板を振動させ、円盤を回転することで音程を変える、小型の低音楽器を提供する。【解決手段】振動発音式楽器は、操作レバー２ｃにより金属板１を円盤２に巻き込む長さを変えることで音程をかえる。さらに共鳴板５（振動板）と共鳴室７で振動を増幅することで小型化する。また、巻き込んだ金属板のバネ力で操作レバー２ｃがもどり、演奏もしやすくなる。【選択図】図１
2019090998.tif 000002
【特許請求の範囲】
【請求項１】
細長い薄板状の金属製発音棒と、
前記金属製発音棒の一端が外周に固定され、回転することにより前記金属製発音棒を外周に巻取、又は外周から巻解いて、前記金属製発音棒の巻き取られていない自由部分の長さを調整可能な調整用円板と、
前記調整用円板の近傍で前記金属製発音棒の前記自由部分と接触して、金属製発音棒を押える押え棒と、
前記金属製発音棒の下方に配置された振動板と、
前記振動板上に設けられ、前記金属製発音棒の前記自由部分における前記押え棒より先端側の位置で、振動時に前記金属製発音棒の裏面に接触可能な爪部材と
を備えていることを特徴とする振動発音式楽器。
【請求項２】
前記金属製発音棒と前記爪部材との間の距離が調整可能に構成されている
ことを特徴とする請求項１に記載の振動発音式楽器。
【請求項３】
前記押え棒が円柱形状であり、前記金属製発音棒と面接触可能な切欠き部が設けられ、押え棒を回転させることで金属製発音棒の自由部分の角度を調整することができるように構成されている
ことを特徴とする請求項２に記載の振動発音式楽器。
【請求項４】
前記金属製発音棒、調整用円板、押え棒及び爪部材を備えた振動板を収容するハウジングを備え、
前記ハウジングが、前記振動板に隣接する共鳴室を有する
ことを特徴とする請求項１〜３の何れか一項に記載の振動発音式楽器。
【請求項５】
前記調整用円板が、その外周面に径方向外向きに突出するレバーを備え、前記レバーが前記ハウジングに設けられた切欠きを通してハウジング外部に突出する
ことを特徴とする請求項１〜４の何れか一項に記載の振動発音式楽器。
【請求項６】
前記調整用円板の回転角度位置を固定することができるように構成されている
ことを特徴とする請求項１〜５の何れか一項に記載の振動発音式楽器。
【発明の詳細な説明】
【技術分野】
【０００１】  本発明は、金属製の薄板から成る一本の発音棒を用いて幅広い波長で低音程の音を発音できる小型楽器の改良に関する。
【背景技術】
【０００２】  従来から、共鳴体である木の板や箱に、一端を固定した複数の金属製振動棒を並べて配置し、振動棒の先端を指で弾くことにより、振動棒の振動によって音を発するカリンバと呼ばれる民族楽器がある。
このカリンバと呼ばれる楽器は、金属製振動棒そのものの振動により発音するため低い音を出すのは難しい。
発明者は、上記した問題を解決し、低い音が発音できる楽器を開発し、その楽器を既に公開している（非特許文献１）。
図４は、発明者が開発をした楽器の内部構造を示す概略斜視図である。図面に示すように、この楽器は、前後に移動可能な細長い薄板状の金属製発音棒Ａと、該発音棒Ａの下方に配置され、発音棒Ａが振動した時に発音棒Ａが当たる金属製振動板Ｂと、振動板Ｂの振動を、テーブル等の任意の質量のある共鳴体Ｄに伝達するための吸盤Ｃとから成り、発音棒Ａが振動板Ｂに当たる時に生じる音（以下、「びびり音」と称する。）が共鳴体Ｄによって増幅されて大きなびびり音を発音することができる。前記したように、この楽器は、発音棒Ａそのものの振動により発音するのではなく、発音棒Ａが振動板Ｂに当たる時に生じるびびり音により発音するため、振動数が低くなり低音を発音することが可能になる。さらに、この楽器は、直線状の発音棒Ａを前後に移動させることができるように構成されているため音程を任意に変更することが可能である。
【先行技術文献】
【非特許文献】
【０００３】
【非特許文献１】ｈｔｔｐ：／／ｗｗｗ．ｍａｙｗａｄｅｎｋｉ．ｃｏｍ／ｂｕｓｉｎｅｓｓ／ｅｄｕｃａｔｉｏｎ／  ｈｔｔｐｓ：／／ｗｗｗ．ｙｏｕｔｕｂｅ．ｃｏｍ／ｗａｔｃｈ？ｖ＝ｚｆｇＹａ６ＥＷＺｂ０
【発明の概要】
【発明が解決しようとする課題】
【０００４】  上記した発明者が発明した従来の楽器は、低音を発音することができ、しかも、音程を任意に変更することができるという利点を有するが、直線状Ａの発音棒を前後に移動させることにより音程を調節するように構成されているので楽器全体が大きくなるという課題があった。
また、大きな音を出すために吸盤Ｃによって楽器を共鳴体Ｄに吸着させなければならない構造であるため、使用するためには条件の合う共鳴体Ｄが必要であるという問題もある。
発明者は、上記した従来の問題点を解決し、小型であり、しかも、それだけで発音することが可能な楽器を提供することを目的としている。
【課題を解決するための手段】
【０００５】  上記した目的を達成するために、本発明に係る振動発音式楽器は、細長い薄板状の金属製発音棒と、前記金属製発音棒の一端が外周に固定され、回転することにより前記金属製発音棒を外周に巻取、又は外周から巻解いて、前記金属製発音棒の巻き取られていない自由部分の長さを調整可能な調整用円板と、前記調整用円板の近傍で前記金属製発音棒の前記自由部分と接触して、金属製発音棒を押える押え棒と、前記金属製発音棒の下方に配置された振動板と、前記振動板上に設けられ、前記金属製発音棒の前記自由部分における前記押え棒より先端側の位置で、振動時に前記金属製発音棒の裏面に接触可能な爪部材とを備えている。
前記金属製発音棒と前記爪部材との間の距離は調整可能に構成され得る。
前記押え棒を円柱形状とし、前記金属製発音棒と面接触可能な切欠き部を設け、押え棒を回転させることで金属製発音棒の自由部分の角度を調整することができるように構成してもよい。
前記金属製発音棒、調整用円板、押え棒及び爪部材を備えた振動板を収容するハウジングを設け、前記ハウジングに前記振動板に隣接する共鳴室を設けてもよい。
前記調整用円板の外周面に径方向外向きに突出するレバーを設け、前記レバーが前記ハウジングに設けられた切欠きを通してハウジング外部に突出するように構成してもよい。
前記調整用円板は、回転角度位置を固定することができるように構成され得る。
【発明の効果】
【０００６】  本発明に係る振動発音式楽器は、細長い薄板状の金属製発音棒と、前記金属製発音棒の一端が外周に固定され、回転することにより前記金属製発音棒を外周に巻取、又は外周から巻解いて、前記金属製発音棒の巻き取られていない自由部分の長さを調整可能な調整用円板と、前記調整用円板の近傍で前記金属製発音棒の前記自由部分と接触して、金属製発音棒を押える押え棒と、前記金属製発音棒の下方に配置された振動板と、前記振動板上に設けられ、前記金属製発音棒の前記自由部分における前記押え棒より先端側の位置で、振動時に前記金属製発音棒の裏面に接触可能な爪部材とを備えているので、小型であり、しかも、それだけで発音することが可能であり、かつ、低音を発音することができ、さらに、音程も変えることができるという効果を奏する。
前記金属製発音棒と前記爪部材との間の距離を調整可能に構成することで、経年劣化による影響を受けることなく、常に金属製発音棒と爪部材との距離を最適な距離に保つことが可能になる。
前記押え棒を円柱形状とし、前記金属製発音棒と面接触可能な切欠き部を設け、押え棒を回転させることで金属製発音棒の自由部分の角度を調整することができるように構成することにより、簡単な構造で金属製発音棒と爪部材との距離の調整を行うことが可能になる。
前記金属製発音棒、調整用円板、押え棒及び爪部材を備えた振動板を収容するハウジングを設け、前記ハウジングに前記振動板に隣接する共鳴室を設けることにより、持ち運びが容易であり、手で持って演奏することも可能になる。さらに、振動板に隣接する共鳴室を設けることにより音を十分に増幅することが可能になる。
前記調整用円板の外周面に径方向外向きに突出するレバーを設け、前記レバーが前記ハウジングに設けられた切欠きを通してハウジング外部に突出するように構成することで、調整用円板の操作が簡単になり、音程調整が容易になる。
前記調整用円板の回転角度位置を固定することができるように構成することで、一定の音程で発音させることが可能になる。
【図面の簡単な説明】
【０００７】
【図１】  本発明に係る振動発音式楽器の概略斜視図である。
【図２】  図１における概略Ａ−Ａ断面図である。
【図３】  図２に対応する概略断面図であり、調整用円板が原点位置にある状態を示している。
【図４】  発明者が発明した従来の振動発音式楽器の概略斜視図である。
【発明を実施するための形態】
【０００８】  以下、添付図面に示した一実施例を参照しながら、本発明に係る振動発音式楽器の実施の形態を説明していく。
【０００９】  図１は、本発明に係る振動発音式楽器の概略斜視図を、図２は図１における概略Ａ−Ａ断面図を示している。
図面に示すように、この楽器は、細長い薄板状の金属製発音棒１と、該発音棒１の一端が外周面に固定され、回転により発音棒１の外周面への巻取と、巻解きが可能な長さ調整用円板２と、前記調整用円板２に巻き取られていない発音板１の自由部分１ａを固定支持する押え棒３と、発音棒１が振動した時に発音棒１の裏面が当たるように発音棒１の下方に配置された爪部材４と、該爪部材４が固定された振動板５とをハウジング６の内部に収容して成る。この実施例では、ハウジング６は上側ハウジング６ａと、下側ハウジング６ｂとから成り、前記発音棒１、調整用円板２、押え棒３及び爪部材４は上側ハウジング６ａに収容され、前記振動板５は、上側ハウジング６と下側ハウジング６ｂとの間に保持されている。
前記長さ調整用円板２は軸２ａを備え、該軸２ａが上側ハウジング６ａに回転可能に支持されている。また、前記軸２ａは、上側ハウジング６ａの側面に設けられた固定ネジ２ｂを締めることにより回転しないように固定され得る。また、前記調整用円板２には、操作レバー２ｃが設けられており、この操作レバー２ｃは上側ハウジング６ａの上面後部から後面にかけて設けられた切欠き６ｃを介して上側ハウジング６ａの外側に突出している。これにより操作レバー２ｃを介して調整用円板２を回転させることで、金属製発音棒１を調整用円板２の外周面に巻き取ったり、巻解いたりすることができる。
押え棒３は、円柱体から成り、発音棒１と面接触可能な切欠き（符号なし）が設けられ、発音棒１が調整用円板２から離れる付近で下方から発音棒１を固定支持する。これにより、発音棒１における押え棒３で押さえられた位置から先端までの距離で発音棒１の振動数が決まる。押え棒３は、上側ハウジング６ａに軸支され、その一端が上側ハウジング６ａから突出して、外部から押え棒３の回転角度位置を調整することができるように構成されている。このため押え棒３を回転させると、発音棒１の角度を変えることができ、その結果、発音棒１と爪部材４の先端との間の距離を適切な距離に微調整することができる。
爪部材４は、好ましくは、振動板５の中央に配置される。振動板５は、発音棒１の振動を増幅することができる素材であれば任意の素材でよく、例えば、プラスチックの薄板で構成され得る。
発音棒１の先端は、上側ハウジング６ａの前面に設けられた開口６ｄを通してハウジング６の外部まで伸びている。
下側ハウジング６ｂ、即ち、前記振動板５の下方には、共鳴室７が設けられており、発音棒１と爪部材４との衝突で生じるびびり音は振動体５及び前記共鳴室７を介して拡大されて共鳴室７に設けられた開口７ａから外部に出る。
図示していないが、好ましくは、発音棒１のハウジング６から飛び出た部分には、舌の形を模したカバーが取り付けられる。ハウジング６の前面に、目や鼻を描くことにより、使用時にまるで人や動物が舌を出して上下に舌を動かしているように見える。
【００１０】  上記したように構成された、振動発音式楽器の作用について説明をする。図３は、レバー２ａを開放している状態の振動発音式楽器の図２に対応する図である。上記したように構成された振動発音式楽器によれば、直線状の発音棒１を調整用円板２の外周に巻き取っているので、レバー２ａを開放すると、発音棒１が元の形状に戻ろうとするバネ力で調整用円板２の回転角度位置が原点に戻る。
この状態で図２に示すように、レバー２ａを操作して調整用円板２を回転させることによって、発音棒１は調整用円板２の外周に巻き取られて短くなる。従って、レバー２ａの操作の加減によって発音棒１を任意の長さにすることが可能になり、それにより振動数、即ち、音程を調整することが可能になる。
図２又は図３の状態において、使用者が発音棒１の先端を指で弾くと、発音棒１が振動し、爪部材４と高速で連続してぶつかる。この発音棒１と爪部材４との連続した高速の接触によりびびり音が発音する。爪部材４で生じる振動数は、発音棒１そのものの振動数より低くなるため、結果としてびびり音は低音になる。発音棒１と爪部材４との接触により生じる爪部材４の振動によるびびり音は、振動板５及び共鳴室７を介して増幅されて外部に出る。
発音棒１の振動中にレバー２ａを動かすことにより、音程を変化させることができる。
上記したように、この振動発音式楽器は、発音棒１と爪部材４との連続した接触によって発音する点で、発音棒１そのものの振動により発音するカリンバとは発音原理が異なる。このため、発音棒１が振動していない時の発音棒１と爪部材４との間の距離は、発音棒１が振動した時に、発音棒１が効果的に爪部材４と接触する距離にする必要がある。この調整は、押え棒３を回転させることによって実行され得る。
【００１１】  本実施例では、ハウジング６が上側ハウジング６ａと下側ハウジング６ｂとで形成され、上側ハウジング６ａと下側ハウジング６ｂとの間で振動板５を挟んで保持しているが、この構成は本実施例に限定されることなく、例えば、ハウジング６を一体で構成して、振動板５を側方からスライドさせて出し入れすることができるように構成してもよい。
また、本実施例では、押え棒３に切欠きを設けて、その切欠き部分で発音棒１を押えるように構成することで押え棒３の回転により発音棒１の角度を調整することができるように構成されているが、この構成は本実施例に限定されることなく、例えば、押え棒３そのものを上方及び下方に移動させることができるように構成してもよく、また、押え棒３を固定として、爪部材４を含む振動板５を上下に移動可能に構成してもよい。
さらにまた、本実施例では、調整用円板２として真円の円板を使用し、軸２ａは円板２の中心に設けているが、この構成は本実施例に限定されることなく、例えば、発音体１の直線性を可能な限り担保できるように、調整用円板２を楕円形の円板としたり、又は、軸２ａを偏心した位置に設けてもよい。
上記した実施例では、振動発音式楽器を単体で使用する例を説明しているが、例えば、複数の振動発音式楽器を用意し、それぞれ音程が異なるように発音棒１の長さを調整して調整用円板２を固定ネジ２ｃで固定することで、カリンバのように複数の音程の異なる発音棒１を指で弾いてメロディーを奏でることも可能である。この場合には、好ましくは、ハウジング６は、隣接するハウジング６と連結可能に構成され得る。
また、図示実施例では示していないが、例えば、持ち運びの時にハウジング６の開口部６ｄから突出している発信棒１を保護するカバーを設けることができる。
【符号の説明】
【００１２】１  発音棒
１ａ  自由部分
２  調整用円板
２ａ  軸
２ｂ  固定ネジ
２ｃ  操作レバー
３  押え棒
４  爪部材
５  振動板
６  ハウジング
６ａ  上側ハウジング
６ｂ  下側ハウジング
６ｃ  切欠き
６ｄ  開口
７  共鳴室
（従来技術）
Ａ  発音棒
Ｂ  振動板
Ｃ  吸盤
Ｄ  共鳴体
【図１】
2019090998.tif 000003
【図２】
2019090998.tif 000004
【図３】
2019090998.tif 000005
【図４】
2019090998.tif 000006